(57)【要約】 【課題】  開閉体を全閉する際に引戸の引手が邪魔にならない反面、開閉体を開いて引戸を開ける際には、引手を手前側に引き出し、かつ、該引手を用いて引戸を開けることができること。【解決手段】  引戸用引手は、引戸の戸先側の内部に略嵌り込むように固定されかつ横向き凹所状の引手本体用収納部を有する取付け座と、この取付け座と略面一になるように前記収納部に出し入れ自在に収納された縦長状の引手本体とから成り、引手本体は、基端部が前記収納部側の固定軸に軸支された支持アームと、該支持アームの他端部に可動軸を介して軸支されたグリップアームとで構成され、引手本体を手前側に引き出した場合に於いて、引手本体のグリップアームは、支持アームに対して係止手段３１を有し、鉛直方向へと所定の停止位置まで回転可能であること。【選択図】  図７
2006070650.tif 000002
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、さらに、基端部が前記収納部側の固定軸に軸支された支持アームと、該支持アームの他端部に可動軸を介して軸支されたグリップアームとで構成され、引手本体を手前側に引き出した場合に於いて、引手本体のグリップアームは、支持アームに対して係止手段を有し、鉛直方向へと所定の停止位置まで回転可能であることを特徴とする引戸用引手。
【請求項２】
請求項１に於いて、引手本体は、グリップアームが所定の停止位置で係止関係により止まった所で、引手本体を取付け座側に回転するのを阻止する形態保持機構を備え、該形態保持機構は、支持アーム側に設けられ、かつ、取付け座側の固定障害子に係止される作動杆と、該作動杆を固定障害子に係合する方向へ常時付勢する支持アーム側の作動杆用バネと、前記作動杆を拘束することができるようにグリップアーム側に設けられた係止手段と、該係止手段３５を受け止める支持アーム１１ｂの内壁面１６ａ，１６ｂを有することを特徴とする引戸用引手。
【請求項３】
請求項１又は請求項２に於いて、引手本体は、グリップアームの回転を戻す方向へ阻止するロック機構を備え、該ロック機構は、支持アームの他端部に設けられた被係合部と、この被係合部に係脱するグリップアーム側の係合操作棒であることを特徴とする引戸用引手。
【請求項４】
請求項３に於いて、ロック機構の係合操作棒は、グリップアームの一端部の切欠状案内部に摺動自在に嵌め込まれ、前記切欠状案内部には、係合操作棒を外方向に付勢するロック用バネが内装されていることを特徴とする引戸用引手。
【請求項５】
請求項１に於いて、グリップアームの指を引っ掛ける部分は、支持アームよりも細幅に形成されていることを特徴とする引戸用引手。
【発明の詳細な説明】
【技術分野】
【０００１】
本発明は、建物の出入り口に配置された引戸用の引手に関し、例えば室内側から内側引戸を開ける人を基準としてその手前側に開閉体が配置される引戸（内側引戸又は外側引戸、或いは内外の引戸）の戸先側の壁面に取付けられる引戸用引手に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体のグリップアームを所定の角度（望ましくは、グリップアームが傾斜状の支持アームに対して略鉛直状態に折り曲がる所）まで折り曲げ回転させた上で、該グリップアームを用いてそのまま引戸を開けることができること。第２の目的は、支持アームに対してグリップアームを鉛直方向へ折り曲げた時、引手本体が取付け座側に回転せず、これにより引戸を開く際における引手本体の操作性を向上させること。第３の目的は、グリップアームの戻り方向への回転も阻止し、これにより引戸を開く際における引手本体の操作性をより一層向上させること。第４の目的は、引手を手前側に容易に引き出すことができること。その他形態保持機構及びロック機構を構成する部材を引手本体に簡単に組み込むことができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、さらに、基端部が前記収納部側の固定軸に軸支された支持アームと、該支持アームの他端部に可動軸を介して軸支されたグリップアームとで構成され、引手本体を手前側に引き出した場合に於いて、引手本体のグリップアームは、支持アームに対して係止手段を有し、鉛直方向へと所定の停止位置まで回転可能であることを特徴とする。
【０００５】
上記構成に於いて、引手本体は、グリップアームが所定の停止位置で係止関係により止まった所で、引手本体を取付け座側に回転するのを阻止する形態保持機構を備え、該形態保持機構は、支持アーム側に設けられ、かつ、取付け座側の固定障害子に係止される作動杆と、該作動杆を固定障害子に係合する方向へ常時付勢する支持アーム側の作動杆用バネと、前記作動杆を拘束することができるようにグリップアーム側に設けられた係止手段と、該係止手段３５を受け止める支持アーム１１ｂの内壁面１６ａ，１６ｂを有することを特徴とする。また、引手本体は、グリップアームの戻り方向への回転を阻止するロック機構を備え、該ロック機構は、支持アームの他端部に設けられた被係合部と、この被係合部に係脱するグリップアーム側の係合操作棒であることを特徴とする。その他の特徴事項は、各従属項に記載されている。ここで「開閉体」とは、網戸、シャッターなどをいう。
【発明の効果】
【０００６】
（１）請求項１に記載の発明は、例えば室内側から内側の引戸を開ける人を基準としてその手前側に網戸、シャッターなどの開閉体が配置される引戸用引手に於いて、開閉体を全閉する際に引手本体が邪魔にならない反面、開閉体を開いて引戸を開ける際には、引手本体を手前側に引き出し、かつ、該引手本体のグリップアームを所定の角度（望ましくは、グリップアームが略鉛直状態になる所）まで折り曲げ回転させた上で、該グリップアームを用いてそのまま引戸を開けることができる。
（２）請求項２に記載の発明は、簡単な機構と合理的手段によって作動杆と障害子との係合関係を図りつつ、引手本体のグリップアームを所定の角度で停止させ、かつ、引手本体を取付け座の方向へ回転するのを阻止し、これにより、引戸の開閉時における引手本体の操作性を向上させることができる。
（３）請求項３に記載の発明は、引手本体を手前側に引き出した場合に於いて、支持アームに対してグリップアームを鉛直方向へと折り曲げるように所定量回転した時、該グリップアームを所定の位置に止めるだけではなく、さらに、グリップアームの戻り方向への回転も阻止するので、引戸の開閉時における引手本体の操作性をより一層向上させることができる。
（４）請求項４に記載の発明は、ロック機構のロック操作が簡単である。
（５）請求項５に記載の発明は、引手本体を取付け座の収納部から容易に引き出すことができる。
（６）その他形態保持機構及びロック機構を構成する部材を引手本体に簡単に組み込むことができる。
【発明を実施するための最良の形態】
【０００７】
以下、図１乃至図９に示す本発明を実施するための最良の形態により説明する。
【０００８】
（１）内側取付け座…固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図９参照）。なお、取付け座１は縦框以外の戸先側（閉じ側）の内部に固定しても良い。
【０００９】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１を構成するグリップアーム１１ｂの細幅部分に指を引っ掛けて（本実施例）、或いは括れ状の部分を摘んで引手本体用収納部５から所定量引き出すことができるように適宜に形成されている。
【００１０】
本実施例では、開口６は、図１で示すように、長板状部分２の上端部から下端部に至るまで形成され、一方、内側引手（引手本体）１１は、取付け座１側の固定軸９に軸支された支持アーム１１ａの基端部（図面では上端部）側からグリップアーム１１ｂの細幅の端部に至るまで真っ直ぐに延伸し、該グリップアーム１１ｂの端部は、収納部５の凹所内壁の下方傾斜面７付近に至っている。
【００１１】
ところで、取付け座１の引手本体用収納部５の上端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の支持アーム１１ａの基端部を軸支する固定軸（横軸）９が横設軸架されていると共に、該固定軸（横軸）９の下方に多少離間して後述の形態保持機構の一部を構成するピン状固定障害子（横棒）１０が横設されている。
【００１２】
取付け座１は、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１３】
（２）内側引手…可動部材
１１は片手で握ることができる大きさの内側の引手本体で、この引手本体１１は全体として縦長状に形成されている。本実施例では、引手本体１１は、基端部が収納部５側の固定軸９に軸支された支持アーム１１ａと、該支持アームの他端部に可動軸１８を介して軸支されたグリップアーム１１ｂとで構成されている。
【００１４】
ところで、引手本体１１の形態については、取付け座１の引手本体用収納部５に収納することができるように、アームの本数、その長さ、大きさ、形状、肉厚、内部構造等が適宜に設定されている。もちろん、引手本体１１は外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１５】
本実施例の引手本体１１は、引手本体用収納部５に収納されている時は、鉛直（垂直）状態であり、一方、図７で示すようにグリップアーム１１ｂを介して手前側に傾斜状態に引き出した場合には、さらに、グリップアーム１１ｂを支持アーム１１ａに対して鉛直方向へと所定位置まで折り曲げるように回転可能である。
【００１６】
しかも、引手本体１１は、グリップアーム１１ｂを鉛直（垂直）状態に折り曲げ回転した時には、該引手本体１１に設けた形態保持機構を介して「逆く」の字状、或いは鈍角状態に形態を保持することができる。さらに、本実施例の引手本体１１は、鈍角状態に停止しているグリップアーム１１ｂを完全にロックするロック機構も備えている。
【００１７】
ここで、図５を参照にして引手本体１１の構成を説明する。まず、引手本体１１は、アール状の基端部（図では上端部）から門型状の他端部（図では下端部）まで幅広に形成された杆状支持アーム１１ａを有している。しかして、基端部の一番上位には、固定軸９用の軸孔１２が横方向に形成され、この軸孔１２の直ぐ下方に固定障害子１０用の係合長孔１３が同様に横方向にやや弧状に形成されている。
【００１８】
また支持アーム１１ａには、該係合長孔１３に対して鉛直方向に連通する作動杆２２用の垂直案内長孔１４が形成されている。この垂直案内長孔１４は、後述する作動杆用バネ２６を組み込むための大径部分１５を有している。
【００１９】
また、支持アーム１１ａの他端部は門型状に形成され、前記垂直案内長孔１４の下部側と連通する嵌合切欠部分１６を有している。また、門型状の対向端部には、嵌合切欠部分１６と連通し、かつ、グリップアーム１１ｂの一端部（図では上端部）を軸支する可動軸（横軸）１８用の軸孔１７，１７が形成されている。さらに、門型状の対向端部の端面には、所定間隔を有して合計２個の被係合部１９が形成されている。これらの被係合部１９には、後述するロック機構３７を構成する操作片（例えば係合操作棒）３８が選択的に係脱可能である（図８参照）。
【００２０】
次に、引手本体１１は支持アーム１１ａの他端部に可動軸１８を介して軸支されたグリップアーム１１ｂを有している。
【００２１】
しかして、上向き弧状面を有する一端部（図では上端部）の中央部分には、支持アーム１１ａの前述した嵌合切欠部分１６に入り込む円盤状の軸貫通部分３１が突設されている。軸貫通部分３１は可動軸１８用の軸孔３２を有している。したがって、グリップアーム１１ｂは軸孔１７，３２，１７を貫通する可動軸１８を介して支持アーム１１ａに回動自在に連結されている。
【００２２】
また、一端部の上向き弧状面３３の一部分及び前記軸貫通部分３１の根元部には、軸孔３２方向にロック機構の操作片３８を案内する横方向の切欠状案内部（横孔と該横孔に連通する上方の切欠部分と根元部の半径方向切欠部分）３４が形成されている。しかも、軸貫通部分３１の外周壁には、半径外方向（例えば１１時方向）に突出する係止手段（本実施例では係合突起）３５が設けられている。係止手段３５は、引手本体１１の支持アーム１１ａとグリップアーム１１ｂが直線状の場合（例えば１８０度の場合）には、形態保持機構２１を構成する作動杆２２を解放し、一方、引手本体１１が「く」の字状（逆くの字も含む）に折れ曲がった時は、前記作動杆２２を拘束する。そのために、グリップアーム１１ｂを取付け座１側へ回転することができない。換言すると、グリップアーム１１ｂをさらに折り曲げて所定の角度（例えは１４５度）を狭めることができない。なお、支持アーム１１ａの他端部（図では下端部）は、その一端部側も含めて細幅部分となっている。
【００２３】
（３）形態保持機構
引手本体１１は、グリップアームが所定の停止位置で止まった所で、引手本体を取付け座側に回転するのを阻止する形態保持機構２１を備えている。該形態保持機構２１は、支持アーム１１ｂ側に設けられ、かつ、取付け座１側の固定障害子１０に係止される作動杆２２と、該作動杆を固定障害子１０に係合する方向へ常時付勢する支持アーム側の作動杆用バネ２６と、前記作動杆２２を拘束することができるようにグリップアーム１１ｂ側に設けられた係止手段３５と、該係止手段３５を受け止める支持アーム１１ｂの嵌合切欠部１６の内壁面１６ａ，１６ｂとから成る。
【００２４】
ところで、図４で示すように、本実施例の引手本体１１は、取付け座１の収納部５に収納されている時には、その支持アーム１１ａとグリップアーム１１ｂはストレートである。この場合、グリップアーム１１ｂの係止手段（係合突起）３５は、支持アーム１１ａの嵌合切欠部分１６の一側内壁面（取付け座１側の内壁面）１６ａに当たっているので、図７の（ａ）で示すように、該引手本体１１を、グリップアーム１１ｂを介して手前側に引き出した場合にも、引手本体１１は両アームの係合関係１６ａ，３５によりストレートの状態を維持しながら固定軸９を支点にして回転する。
【００２５】
したがって、引手本体１１の形態保持機構２１の作動杆２２は、取付け座１に収納されている時のみならず、グリップアーム１１ｂを介して収納部５から引き出されて傾斜状態になった時でも、グリップアーム１１ｂの係止手段３５で拘束されていない（図４，図７の引き出し時を参照）。それ故に、グリップアーム１１ｂを介して支持アーム１１ａを所定の角度（弧状係合長孔１３の範囲）まで回転させることができる。
【００２６】
しかして、形態保持機構２１は、前述した構成なので、グリップアーム１１ｂに対して収納部５側に折り曲がるような力を与えると、グリップアーム１１ｂは可動軸１８を支点に折り曲げ回転する。そして、傾斜状の支持アーム１１ａに対してグリップアーム１１ｂが略鉛直状態になる所まで回転すると、グリップアーム１１ｂの係止手段３５が作動杆２２を拘束した格好で嵌合切欠部分１６の他側内壁面（取付け座に対する外側の内壁面）１６ｂに当たる。したがって、グリップアーム１１ｂは形態保持機構２１を介して鈍角状態に停止する。
【００２７】
（４）ロック機構３７
ロック機構３７は、本発明の引手本体１１に於いて、それ自体新規な事項である。したがって、形態保持機構２１を有さずそれ自体独自に、又は形態保持機構２１に該ロック機構３７を加味して幾つかの実施例を構成することができる。本実施例では、形態保持機構２１と組み合わせた実施例を図面に示してある。
【００２８】
引手本体１１のロック機構３７は、図８で示すように、支持アーム１１ａの他端部（例えば端部の周面）に設けられた複数個の被係合部１９と、これらの被係合部１９に選択的に係脱するグリップアーム側の係合操作棒３８とから成る。
【００２９】
しかして、係合操作棒３８は、図５で示すように、グリップアーム１１ｂの上端部の切欠状案内部３４に差し込まれる横軸部分３８ａと、該横軸部分３８ａの挿入端部寄りの部位或いは中央部に突設された小係合突起３８ｂとから成り、前記切欠状案内部３４内に摺動自在に嵌め込まれている。そして、本実施例では、前記切欠状案内部３４には、さらに、係合操作棒３８を外方向に付勢するロック用バネ３９が内装されている。なお、係合操作棒３８の外端部は、若干グリップアーム１１ｂの外側壁から突出していることから、取付け座１の収納部５を形成する壁面の一部には、小切欠部が形成されている。
【００３０】
上記構成に於いて、ロック機構３７は、望ましくは、引手本体１１を手前側に引き出した場合に於いて、さらに、グリップアーム１１ｂを支持アーム１１ａに対して鉛直方向へと所定位置まで回転し、かつ、グリップアーム１１ｂが戻りの方向へ回転しないようにロックしたい場合に用いられる（図７）。もちろん、手本体１１を手前側に引き出した場合に於いて、引手本体１１が「ストレート」の傾斜状態のままであっても、そのまま引戸ａを開くために引手本体１１を用いることは可能である。
【００３１】
しかしながら、引手本体１１が収納部５から傾斜状態に出たままでグリップアーム１１ｂを握って力を入れた場合、グリップアーム１１ｂが操作する人の方に突出していることから、経験則上、グリップアーム１１ｂが邪魔に成って操作し難い。また、グリップアーム１１ｂが前後方向に動く場合にも操作し難いものである。
【００３２】
そこで、例えば親指で係合操作棒３８の外端部をプッシュし、そのままプッシュした状態でグリップアーム１１ｂを鉛直方向へと所定位置まで回転し（図７の折り曲げ時）、その後に外端部から親指を放す。そうすると、係合操作棒３８の小係合突起３８ｂが選択的に一つの被係合部１９に係合する（図８）。
【００３３】
したがって、グリップアーム１１ｂはロック機構３７でロックされるから、それ自体支持アーム１１ａに対して戻す方向（ストレート方向）に回転させることはできない。この時、形態保持機構２１も作用しているので、引手本体１１を取付け座１１側に回転することもできない（図７のｂ）。
【００３４】
一方、グリップアーム１１ｂを引き出し時の傾斜状態にするためには、係合操作棒３８の外端部をプッシュし、支持アーム１１ａに対するロックを解除しながら、ストレート方向に戻す必要がある。そして、引手本体１１がストレートの状態になると、形態保持機構２１は作用しないので、ストレートの状態のまま収納部に収納することができる（図４）。
【００３５】
（５）環境状態の使用例
例えば図１，図２の仮想線，図４に於いて、引手本体１１が取付け座１の収納部５に完全に収納されている状態を示し、一方、例えば図７の（ａ）は、引手本体１１を、グリップアーム１１ｂを介して片手で引き出した状態を示す。
【００３６】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図９乃至図１１も参照にして環境状態の使用例を説明する。
【００３７】
図９は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００３８】
一方、図１０は、開閉体４４を矢印Ｂ方向に移動させ、その後に引手本体１１を、グリップアーム１１ｂを介して手前側に引き出し、かつ、ロック機構３７の係合操作棒３８を操作しながらグリップアーム１１ｂを鉛直方向へ折り曲げ回転し、所定の角度にてグリップアーム１１ｂをロックした状態を示す。この場合、室内側に操作する人がいて、室内側から開閉体４４を矢印Ｂ方向に開いたことを前提としている。したがって、開閉体４４は引戸ａの手前側に位置している。引戸ａを開ける時は、望ましくは引手本体１１が、例えば図２の実線の状態、又は図７の（ｂ）の状態であり、グリップアーム１１ｂを握って引戸ａを開ける。図１１は引き出した引手本体１１をそのまま利用して引戸ａを所望量開いた場合の概略説明図である。
【実施例】
【００３９】
本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体１１は取付け座１の収納部から引き出した時には、少なくとも、支持アームに対して鉛直方向へと所定位置まで回転可能であることである。この新規構成に、さらに、（３）の新規な形態保持機構又は／及び（４）の新規なロック機構３７がそれぞれ限定要件として予備されている。
【産業上の利用可能性】
【００４０】
本発明は、主に建具の業界で利用される。
【図面の簡単な説明】
【００４１】
図１乃至図１１は本発明の最良の実施例を示す各説明図。
【図１】正面視からの説明図。
【図２】引手本体の収納状態と引き出し状態の概略説明図（さらに、引手本体を折り曲げた状態も含む）。
【図３】図１を基準とした主要部の概略断面図。
【図４】図２の収納状態を基準とした主要部の概略断面図。
【図５】要部（引手本体、機構の構成部材等）の説明図。
【図６】要部（引手本体の支持アーム，機構の構成部材等）の説明図。
【図７】図７（ａ）と図７（ｂ）は、それぞれ作用の概略説明図。
【図８】ロック機構の説明図。
【図９】引き違い戸の使用例に於いて、開閉体を全閉した場合の概略説明図。
【図１０】図９の状態に於いて、開閉体を開き、引手本体を手前側に引き出し、そのグリップアームを所定の角度まで回転させた場合の概略説明図。
【図１１】図１０の状態に於いて、引手本体を利用して引戸を開いた場合の概略説明図。
【符号の説明】
【００４２】
Ｘ…引戸用引手、ａ…引戸、1…取付け座、２…長板状部分、４…小貫通孔、５…引手本体用収納部、６…開口、７…下方傾斜面、８…軸受け部分、９…固定軸、１０…固定障害子、１１…引手本体、１１ａ…支持アーム、１１ｂ…グリップアーム、１２，３２…軸孔、１３…係合長孔、１４…垂直案内長孔、１５…大径部分、１６…嵌合切欠部分、１６ａ，１６ｂ…グリップアームの内壁面、１７…軸孔、１８…可動軸、１９…被係合部、２１…形態保持機構、２２…作動杆、２６…作動杆用バネ、３１…軸貫通部分、３３…上向き弧状面、３４…切欠状案内部、３５…係止手段（本実施例では係合突起）、３７…ロック機構、３８…係合操作棒、３９…ロック用バネ、４２…引き違い戸、４３…室内、４４…開閉体。
【図１】
2006070650.tif 000003
【図２】
2006070650.tif 000004
【図３】
2006070650.tif 000005
【図４】
2006070650.tif 000006
【図５】
2006070650.tif 000007
【図６】
2006070650.tif 000008
【図７】
2006070650.tif 000009
【図８】
2006070650.tif 000010
【図９】
2006070650.tif 000011
【図１０】
2006070650.tif 000012
【図１１】
2006070650.tif 000013
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、さらに、基端部が前記収納部側の固定軸に軸支された支持アームと、該支持アームの他端部に可動軸を介して軸支されたグリップアームとで構成され、引手本体を手前側に引き出した場合に於いて、引手本体のグリップアームは、支持アームに対して係止手段を有し、鉛直方向へと所定の停止位置まで回転可能であることを特徴とする引戸用引手。
【請求項２】
請求項１に於いて、引手本体は、グリップアームが所定の停止位置で係止関係により止まった所で、引手本体を取付け座側に回転するのを阻止する形態保持機構を備え、該形態保持機構は、支持アーム側に設けられ、かつ、取付け座側の固定障害子に係止される作動杆と、該作動杆を固定障害子に係合する方向へ常時付勢する支持アーム側の作動杆用バネと、前記作動杆を拘束することができるようにグリップアーム側に設けられた係止手段と、該係止手段３５を受け止める支持アーム１１ｂの内壁面１６ａ，１６ｂを有することを特徴とする引戸用引手。
【請求項３】
請求項１又は請求項２に於いて、引手本体は、グリップアームの回転を戻す方向へ阻止するロック機構を備え、該ロック機構は、支持アームの他端部に設けられた被係合部と、この被係合部に係脱するグリップアーム側の係合操作棒であることを特徴とする引戸用引手。
【請求項４】
請求項３に於いて、ロック機構の係合操作棒は、グリップアームの一端部の切欠状案内部に摺動自在に嵌め込まれ、前記切欠状案内部には、係合操作棒を外方向に付勢するロック用バネが内装されていることを特徴とする引戸用引手。
【請求項５】
請求項１に於いて、グリップアームの指を引っ掛ける部分は、支持アームよりも細幅に形成されていることを特徴とする引戸用引手。
【請求項６】
引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする引戸。
【手続補正２】
【補正対象書類名】明細書
【補正対象項目名】全文
【補正方法】変更
【補正の内容】
【発明の詳細な説明】
【技術分野】
【０００１】
本発明は、建物の出入り口に配置された引戸用の引手及び引戸に関し、例えば室内側から内側引戸を開ける人を基準としてその手前側に開閉体が配置される引戸（内側引戸又は外側引戸、或いは内外の引戸）の戸先側の壁面に取付けられる引戸用引手及び引戸に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体のグリップアームを所定の角度（望ましくは、グリップアームが傾斜状の支持アームに対して略鉛直状態に折り曲がる所）まで折り曲げ回転させた上で、該グリップアームを用いてそのまま引戸を開けることができること。第２の目的は、支持アームに対してグリップアームを鉛直方向へ折り曲げた時、引手本体が取付け座側に回転せず、これにより引戸を開く際における引手本体の操作性を向上させること。第３の目的は、グリップアームの戻り方向への回転も阻止し、これにより引戸を開く際における引手本体の操作性をより一層向上させること。第４の目的は、引手を手前側に容易に引き出すことができること。その他形態保持機構及びロック機構を構成する部材を引手本体に簡単に組み込むことができることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体は、さらに、基端部が前記収納部側の固定軸に軸支された支持アームと、該支持アームの他端部に可動軸を介して軸支されたグリップアームとで構成され、引手本体を手前側に引き出した場合に於いて、引手本体のグリップアームは、支持アームに対して係止手段を有し、鉛直方向へと所定の停止位置まで回転可能であることを特徴とする。
【０００５】
上記構成に於いて、引手本体は、グリップアームが所定の停止位置で係止関係により止まった所で、引手本体を取付け座側に回転するのを阻止する形態保持機構を備え、該形態保持機構は、支持アーム側に設けられ、かつ、取付け座側の固定障害子に係止される作動杆と、該作動杆を固定障害子に係合する方向へ常時付勢する支持アーム側の作動杆用バネと、前記作動杆を拘束することができるようにグリップアーム側に設けられた係止手段と、該係止手段３５を受け止める支持アーム１１ｂの内壁面１６ａ，１６ｂを有することを特徴とする。また、引手本体は、グリップアームの戻り方向への回転を阻止するロック機構を備え、該ロック機構は、支持アームの他端部に設けられた被係合部と、この被係合部に係脱するグリップアーム側の係合操作棒であることを特徴とする。
【０００６】
また、本発明の引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする。ここで「開閉体」とは、網戸、シャッターなどをいう。
【発明の効果】
【０００７】
（１）請求項１、請求項６に記載の発明は、例えば室内側から内側の引戸を開ける人を基準としてその手前側に網戸、シャッターなどの開閉体が配置される引戸用引手及び引戸に於いて、開閉体を全閉する際に引手本体が邪魔にならない反面、開閉体を開いて引戸を開ける際には、引手本体を手前側に引き出し、かつ、該引手本体のグリップアームを所定の角度（望ましくは、グリップアームが略鉛直状態になる所）まで折り曲げ回転させた上で、該グリップアームを用いてそのまま引戸を開けることができる。
（２）請求項２に記載の発明は、簡単な機構と合理的手段によって作動杆と障害子との係合関係を図りつつ、引手本体のグリップアームを所定の角度で停止させ、かつ、引手本体を取付け座の方向へ回転するのを阻止し、これにより、引戸の開閉時における引手本体の操作性を向上させることができる。
（３）請求項３に記載の発明は、引手本体を手前側に引き出した場合に於いて、支持アームに対してグリップアームを鉛直方向へと折り曲げるように所定量回転した時、該グリップアームを所定の位置に止めるだけではなく、さらに、グリップアームの戻り方向への回転も阻止するので、引戸の開閉時における引手本体の操作性をより一層向上させることができる。
（４）請求項４に記載の発明は、ロック機構のロック操作が簡単である。
（５）請求項５に記載の発明は、引手本体を取付け座の収納部から容易に引き出すことができる。
（６）その他形態保持機構及びロック機構を構成する部材を引手本体に簡単に組み込むことができる。
【発明を実施するための最良の形態】
【０００８】
以下、図１乃至図９に示す本発明を実施するための最良の形態により説明する。
【０００９】
（１）内側取付け座…固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図９参照）。なお、取付け座１は縦框以外の戸先側（閉じ側）の内部に固定しても良い。
【００１０】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１を構成するグリップアーム１１ｂの細幅部分に指を引っ掛けて（本実施例）、或いは括れ状の部分を摘んで引手本体用収納部５から所定量引き出すことができるように適宜に形成されている。
【００１１】
本実施例では、開口６は、図１で示すように、長板状部分２の上端部から下端部に至るまで形成され、一方、内側引手（引手本体）１１は、取付け座１側の固定軸９に軸支された支持アーム１１ａの基端部（図面では上端部）側からグリップアーム１１ｂの細幅の端部に至るまで真っ直ぐに延伸し、該グリップアーム１１ｂの端部は、収納部５の凹所内壁の下方傾斜面７付近に至っている。
【００１２】
ところで、取付け座１の引手本体用収納部５の上端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の支持アーム１１ａの基端部を軸支する固定軸（横軸）９が横設軸架されていると共に、該固定軸（横軸）９の下方に多少離間して後述の形態保持機構の一部を構成するピン状固定障害子（横棒）１０が横設されている。
【００１３】
取付け座１は、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１４】
（２）内側引手…可動部材
１１は片手で握ることができる大きさの内側の引手本体で、この引手本体１１は全体として縦長状に形成されている。本実施例では、引手本体１１は、基端部が収納部５側の固定軸９に軸支された支持アーム１１ａと、該支持アームの他端部に可動軸１８を介して軸支されたグリップアーム１１ｂとで構成されている。
【００１５】
ところで、引手本体１１の形態については、取付け座１の引手本体用収納部５に収納することができるように、アームの本数、その長さ、大きさ、形状、肉厚、内部構造等が適宜に設定されている。もちろん、引手本体１１は外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１６】
本実施例の引手本体１１は、引手本体用収納部５に収納されている時は、鉛直（垂直）状態であり、一方、図７で示すようにグリップアーム１１ｂを介して手前側に傾斜状態に引き出した場合には、さらに、グリップアーム１１ｂを支持アーム１１ａに対して鉛直方向へと所定位置まで折り曲げるように回転可能である。
【００１７】
しかも、引手本体１１は、グリップアーム１１ｂを鉛直（垂直）状態に折り曲げ回転した時には、該引手本体１１に設けた形態保持機構を介して「逆く」の字状、或いは鈍角状態に形態を保持することができる。さらに、本実施例の引手本体１１は、鈍角状態に停止しているグリップアーム１１ｂを完全にロックするロック機構も備えている。
【００１８】
ここで、図５を参照にして引手本体１１の構成を説明する。まず、引手本体１１は、アール状の基端部（図では上端部）から門型状の他端部（図では下端部）まで幅広に形成された杆状支持アーム１１ａを有している。しかして、基端部の一番上位には、固定軸９用の軸孔１２が横方向に形成され、この軸孔１２の直ぐ下方に固定障害子１０用の係合長孔１３が同様に横方向にやや弧状に形成されている。
【００１９】
また支持アーム１１ａには、該係合長孔１３に対して鉛直方向に連通する作動杆２２用の垂直案内長孔１４が形成されている。この垂直案内長孔１４は、後述する作動杆用バネ２６を組み込むための大径部分１５を有している。
【００２０】
また、支持アーム１１ａの他端部は門型状に形成され、前記垂直案内長孔１４の下部側と連通する嵌合切欠部分１６を有している。また、門型状の対向端部には、嵌合切欠部分１６と連通し、かつ、グリップアーム１１ｂの一端部（図では上端部）を軸支する可動軸（横軸）１８用の軸孔１７，１７が形成されている。さらに、門型状の対向端部の端面には、所定間隔を有して合計２個の被係合部１９が形成されている。これらの被係合部１９には、後述するロック機構３７を構成する操作片（例えば係合操作棒）３８が選択的に係脱可能である（図８参照）。
【００２１】
次に、引手本体１１は支持アーム１１ａの他端部に可動軸１８を介して軸支されたグリップアーム１１ｂを有している。
【００２２】
しかして、上向き弧状面を有する一端部（図では上端部）の中央部分には、支持アーム１１ａの前述した嵌合切欠部分１６に入り込む円盤状の軸貫通部分３１が突設されている。軸貫通部分３１は可動軸１８用の軸孔３２を有している。したがって、グリップアーム１１ｂは軸孔１７，３２，１７を貫通する可動軸１８を介して支持アーム１１ａに回動自在に連結されている。
【００２３】
また、一端部の上向き弧状面３３の一部分及び前記軸貫通部分３１の根元部には、軸孔３２方向にロック機構の操作片３８を案内する横方向の切欠状案内部（横孔と該横孔に連通する上方の切欠部分と根元部の半径方向切欠部分）３４が形成されている。しかも、軸貫通部分３１の外周壁には、半径外方向（例えば１１時方向）に突出する係止手段（本実施例では係合突起）３５が設けられている。係止手段３５は、引手本体１１の支持アーム１１ａとグリップアーム１１ｂが直線状の場合（例えば１８０度の場合）には、形態保持機構２１を構成する作動杆２２を解放し、一方、引手本体１１が「く」の字状（逆くの字も含む）に折れ曲がった時は、前記作動杆２２を拘束する。そのために、グリップアーム１１ｂを取付け座１側へ回転することができない。換言すると、グリップアーム１１ｂをさらに折り曲げて所定の角度（例えは１４５度）を狭めることができない。なお、支持アーム１１ａの他端部（図では下端部）は、その一端部側も含めて細幅部分となっている。
【００２４】
（３）形態保持機構
引手本体１１は、グリップアームが所定の停止位置で止まった所で、引手本体を取付け座側に回転するのを阻止する形態保持機構２１を備えている。該形態保持機構２１は、支持アーム１１ｂ側に設けられ、かつ、取付け座１側の固定障害子１０に係止される作動杆２２と、該作動杆を固定障害子１０に係合する方向へ常時付勢する支持アーム側の作動杆用バネ２６と、前記作動杆２２を拘束することができるようにグリップアーム１１ｂ側に設けられた係止手段３５と、該係止手段３５を受け止める支持アーム１１ｂの嵌合切欠部１６の内壁面１６ａ，１６ｂとから成る。
【００２５】
ところで、図４で示すように、本実施例の引手本体１１は、取付け座１の収納部５に収納されている時には、その支持アーム１１ａとグリップアーム１１ｂはストレートである。この場合、グリップアーム１１ｂの係止手段（係合突起）３５は、支持アーム１１ａの嵌合切欠部分１６の一側内壁面（取付け座１側の内壁面）１６ａに当たっているので、図７の（ａ）で示すように、該引手本体１１を、グリップアーム１１ｂを介して手前側に引き出した場合にも、引手本体１１は両アームの係合関係１６ａ，３５によりストレートの状態を維持しながら固定軸９を支点にして回転する。
【００２６】
したがって、引手本体１１の形態保持機構２１の作動杆２２は、取付け座１に収納されている時のみならず、グリップアーム１１ｂを介して収納部５から引き出されて傾斜状態になった時でも、グリップアーム１１ｂの係止手段３５で拘束されていない（図４，図７の引き出し時を参照）。それ故に、グリップアーム１１ｂを介して支持アーム１１ａを所定の角度（弧状係合長孔１３の範囲）まで回転させることができる。
【００２７】
しかして、形態保持機構２１は、前述した構成なので、グリップアーム１１ｂに対して収納部５側に折り曲がるような力を与えると、グリップアーム１１ｂは可動軸１８を支点に折り曲げ回転する。そして、傾斜状の支持アーム１１ａに対してグリップアーム１１ｂが略鉛直状態になる所まで回転すると、グリップアーム１１ｂの係止手段３５が作動杆２２を拘束した格好で嵌合切欠部分１６の他側内壁面（取付け座に対する外側の内壁面）１６ｂに当たる。したがって、グリップアーム１１ｂは形態保持機構２１を介して鈍角状態に停止する。
【００２８】
（４）ロック機構３７
ロック機構３７は、本発明の引手本体１１に於いて、それ自体新規な事項である。したがって、形態保持機構２１を有さずそれ自体独自に、又は形態保持機構２１に該ロック機構３７を加味して幾つかの実施例を構成することができる。本実施例では、形態保持機構２１と組み合わせた実施例を図面に示してある。
【００２９】
引手本体１１のロック機構３７は、図８で示すように、支持アーム１１ａの他端部（例えば端部の周面）に設けられた複数個の被係合部１９と、これらの被係合部１９に選択的に係脱するグリップアーム側の係合操作棒３８とから成る。
【００３０】
しかして、係合操作棒３８は、図５で示すように、グリップアーム１１ｂの上端部の切欠状案内部３４に差し込まれる横軸部分３８ａと、該横軸部分３８ａの挿入端部寄りの部位或いは中央部に突設された小係合突起３８ｂとから成り、前記切欠状案内部３４内に摺動自在に嵌め込まれている。そして、本実施例では、前記切欠状案内部３４には、さらに、係合操作棒３８を外方向に付勢するロック用バネ３９が内装されている。なお、係合操作棒３８の外端部は、若干グリップアーム１１ｂの外側壁から突出していることから、取付け座１の収納部５を形成する壁面の一部には、小切欠部が形成されている。
【００３１】
上記構成に於いて、ロック機構３７は、望ましくは、引手本体１１を手前側に引き出した場合に於いて、さらに、グリップアーム１１ｂを支持アーム１１ａに対して鉛直方向へと所定位置まで回転し、かつ、グリップアーム１１ｂが戻りの方向へ回転しないようにロックしたい場合に用いられる（図７）。もちろん、手本体１１を手前側に引き出した場合に於いて、引手本体１１が「ストレート」の傾斜状態のままであっても、そのまま引戸ａを開くために引手本体１１を用いることは可能である。
【００３２】
しかしながら、引手本体１１が収納部５から傾斜状態に出たままでグリップアーム１１ｂを握って力を入れた場合、グリップアーム１１ｂが操作する人の方に突出していることから、経験則上、グリップアーム１１ｂが邪魔に成って操作し難い。また、グリップアーム１１ｂが前後方向に動く場合にも操作し難いものである。
【００３３】
そこで、例えば親指で係合操作棒３８の外端部をプッシュし、そのままプッシュした状態でグリップアーム１１ｂを鉛直方向へと所定位置まで回転し（図７の折り曲げ時）、その後に外端部から親指を放す。そうすると、係合操作棒３８の小係合突起３８ｂが選択的に一つの被係合部１９に係合する（図８）。
【００３４】
したがって、グリップアーム１１ｂはロック機構３７でロックされるから、それ自体支持アーム１１ａに対して戻す方向（ストレート方向）に回転させることはできない。この時、形態保持機構２１も作用しているので、引手本体１１を取付け座１１側に回転することもできない（図７のｂ）。
【００３５】
一方、グリップアーム１１ｂを引き出し時の傾斜状態にするためには、係合操作棒３８の外端部をプッシュし、支持アーム１１ａに対するロックを解除しながら、ストレート方向に戻す必要がある。そして、引手本体１１がストレートの状態になると、形態保持機構２１は作用しないので、ストレートの状態のまま収納部に収納することができる（図４）。
【００３６】
（５）環境状態の使用例
例えば図１，図２の仮想線，図４に於いて、引手本体１１が取付け座１の収納部５に完全に収納されている状態を示し、一方、例えば図７の（ａ）は、引手本体１１を、グリップアーム１１ｂを介して片手で引き出した状態を示す。
【００３７】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図９乃至図１１も参照にして環境状態の使用例を説明する。
【００３８】
図９は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。
【００３９】
一方、図１０は、開閉体４４を矢印Ｂ方向に移動させ、その後に引手本体１１を、グリップアーム１１ｂを介して手前側に引き出し、かつ、ロック機構３７の係合操作棒３８を操作しながらグリップアーム１１ｂを鉛直方向へ折り曲げ回転し、所定の角度にてグリップアーム１１ｂをロックした状態を示す。この場合、室内側に操作する人がいて、室内側から開閉体４４を矢印Ｂ方向に開いたことを前提としている。したがって、開閉体４４は引戸ａの手前側に位置している。引戸ａを開ける時は、望ましくは引手本体１１が、例えば図２の実線の状態、又は図７の（ｂ）の状態であり、グリップアーム１１ｂを握って引戸ａを開ける。図１１は引き出した引手本体１１をそのまま利用して引戸ａを所望量開いた場合の概略説明図である。
【実施例】
【００４０】
本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体１１は取付け座１の収納部から引き出した時には、少なくとも、支持アームに対して鉛直方向へと所定位置まで回転可能であることである。この新規構成に、さらに、（３）の新規な形態保持機構又は／及び（４）の新規なロック機構３７がそれぞれ限定要件として予備されている。
【産業上の利用可能性】
【００４１】
本発明は、主に建具の業界で利用される。
【図面の簡単な説明】
【００４２】
図１乃至図１１は本発明の最良の実施例を示す各説明図。
【図１】正面視からの説明図。
【図２】引手本体の収納状態と引き出し状態の概略説明図（さらに、引手本体を折り曲げた状態も含む）。
【図３】図１を基準とした主要部の概略断面図。
【図４】図２の収納状態を基準とした主要部の概略断面図。
【図５】要部（引手本体、機構の構成部材等）の説明図。
【図６】要部（引手本体の支持アーム，機構の構成部材等）の説明図。
【図７】図７（ａ）と図７（ｂ）は、それぞれ作用の概略説明図。
【図８】ロック機構の説明図。
【図９】引き違い戸の使用例に於いて、開閉体を全閉した場合の概略説明図。
【図１０】図９の状態に於いて、開閉体を開き、引手本体を手前側に引き出し、そのグリップアームを所定の角度まで回転させた場合の概略説明図。
【図１１】図１０の状態に於いて、引手本体を利用して引戸を開いた場合の概略説明図。
【符号の説明】
【００４３】
Ｘ…引戸用引手、ａ…引戸、1…取付け座、２…長板状部分、４…小貫通孔、５…引手本体用収納部、６…開口、７…下方傾斜面、８…軸受け部分、９…固定軸、１０…固定障害子、１１…引手本体、１１ａ…支持アーム、１１ｂ…グリップアーム、１２，３２…軸孔、１３…係合長孔、１４…垂直案内長孔、１５…大径部分、１６…嵌合切欠部分、１６ａ，１６ｂ…グリップアームの内壁面、１７…軸孔、１８…可動軸、１９…被係合部、２１…形態保持機構、２２…作動杆、２６…作動杆用バネ、３１…軸貫通部分、３３…上向き弧状面、３４…切欠状案内部、３５…係止手段（本実施例では係合突起）、３７…ロック機構、３８…係合操作棒、３９…ロック用バネ、４２…引き違い戸、４３…室内、４４…開閉体。